(57)【特許請求の範囲】
【請求項１】
原稿面に対する主走査方向の全域に光を照射可能な光照射部と、前記原稿面で反射した光を光学系を介して前記主走査方向に延びる受光領域で受光し前記原稿面の画像を読み取る画像読取部と、を備えるとともに、前記光照射部からの光により前記原稿面を光学走査する光学走査ユニットが構成される画像読取装置であって、
前記光照射部は、複数の発光素子と、前記複数の発光素子を支持しつつ前記主走査方向に延びる発光素子基板と、前記主走査方向の全域で前記発光素子からの光を前記原稿面側に導くよう前記主走査方向に延びる導光体と、を含んで構成され、
前記光学系は、前記原稿の画像面で反射した光を前記主走査方向における反射領域で前記画像読取部に向う所定の光路の方向に反射するミラーを含んで構成され、
前記光学走査ユニットは、前記ミラーを収納するよう前記原稿面側に開く凹部を有するとともに前記所定の光路を形成する内部空間を有するハウジングと、前記凹部の少なくとも一部を閉塞する板状に形成され、前記導光体を保持するよう前記主走査方向に延びる保持板と、前記発光素子基板および前記導光体を覆うよう前記主走査方向に延びるとともに前記導光体を前記保持板側に付勢するカバーと、を含んで構成されており、
前記ハウジングが、少なくとも前記凹部の内方であって前記主走査方向における前記光路の両外側に、前記凹部の内底面部から前記保持板に当接する高さにそれぞれ突出する複数の締結ボス部を有するとともに、前記主走査方向の両側で前記保持板に当接する受け面を形成する一対の端板部を有しており、
前記保持板が前記一対の端板部および前記複数の締結ボス部に当接する状態で、前記保持板と該保持板上に重なる前記カバーとが、前記複数の締結ボス部にねじ結合する共通のねじにより前記複数の締結ボス部上に一体に締結されていることを特徴とする画像読取装置。
【請求項２】
前記光学系が、前記原稿面で反射した光を前記光軸上に配置されたレンズにより縮小して前記画像読取部に導入する縮小光学系であることを特徴とする請求項１に記載の画像読取装置。
【請求項３】
前記発光素子基板が、前記複数の発光素子を前記導光体側に対面させるよう、前記保持板に保持されており、
前記保持板と該保持板上に重なる前記発光素子基板および前記カバーとが、前記共通のねじにより前記複数の締結ボス部上に一体に締結されていることを特徴とする請求項１または２に記載の画像読取装置。
【請求項４】
前記一対の端板部が、前記凹部の開口側端面部に対して凸または凹形状をなし、前記保持板に対して該保持板を少なくとも前記原稿面に対する副走査方向に位置決め可能に凹凸係合する位置決め係合部を有していることを特徴とする請求項１ないし３のいずれか１項に記載の画像読取装置。
【請求項５】
前記カバーおよび前記導光体の間に、スポンジ状の弾性部材が圧縮状態で挿入されていることを特徴とする請求項１ないし４のいずれか１項に記載の画像読取装置。
【請求項６】
請求項１〜５の画像読取装置を備えた画像形成装置。
【請求項７】
請求項１〜５の画像読取装置を備えた画像送受信装置。
【発明の詳細な説明】
【技術分野】
【０００１】
本発明は、画像読取装置、画像形成装置および画像送受信装置に関し、特に、光学走査ユニットを有する画像読取装置とこれを備えた画像形成装置および画像送受信装置に関する。
【背景技術】
【０００２】
従来、光源から原稿面に光を照射し、原稿面からの反射光を複数のミラーで所定の光軸方向に反射させてＣＣＤイメージセンサ等に入射させるようにした画像読取装置や、それを用いた画像形成装置および画像送受信装置が知られているが、近時、その光源の起動の高速化、省エネルギー化および長寿命化を図るべく、発光素子を光源として用いるものが提案されている。
【０００３】
この種の装置では、光量不足等で主走査方向に均一な照度分布が得られ難くなるのを防止するよう、発光ダイオードからの光を原稿面に導く導光体を採用する場合がある。
【０００４】
従来のそのような画像読取装置として、例えば副走査方向に往復移動する光学走査ユニットのキャリッジに、複数のＬＥＤが主走査方向に直線的に配置されたＬＥＤ基板と、ＬＥＤの発光面に対向する入射面および入射光を被照射体の照射領域へ導光する導光体とを、受け台に支持させるようにしたものが知られている。この装置では、受け台をキャリッジのベース部材にねじで締結し、ＬＥＤ基板および導光体を覆うカバー部材をベース部材あるいはその共通の受け台に締結している（例えば、特許文献１の段落０００５および図５参照）。
【発明の概要】
【発明が解決しようとする課題】
【０００５】
しかしながら、上記従来の画像読取装置にあっては、導光体を位置決め保持する受け台をキャリッジのベース部材にねじで締結する第１の締結部と、カバー部材をその受け台あるいはキャリッジのベース部材に締結する第２の締結部とを別個に設ける構成となっていた。そのため、第１および第２の締結部を用いる締結手段の構成が複雑であるばかりか、締結作業に手間がかかるという問題があった。
【０００６】
これに対し、例えば圧力を受ける治具を作製し、先にカバー部材と保持部材を締結させることもできるが、治具の作製コストや装置の組み立て工程が複雑になり望ましくない。
【０００７】
上記従来の画像読取装置にあっては、また、２つの締結部の締結状態のばらつきによって原稿面（原稿画像の配置面）に対する導光体の位置決め精度が低下してしまうため、原稿面における主走査方向の照度値が一定とならず、読取画像ノイズが増えてしまうという問題もあった。
【０００８】
さらに、導光体を位置決め保持する受け台が曲げ加工された板金等で構成されるため、その形状精度に限界があり、導光体の支持高さおよび取付角度を高精度に確保することが容易でなく、導光体の支持高さおよび取付角度を高精度に安定確保することが容易でなかった。
【０００９】
加えて、受け台の上端側（原稿面側）に導光体が支持される構成であったため、光学走査ユニットにおける光照射部の高さを抑え難く、装置の小型化のために光学走査ユニットの実装スペースを抑えると、高さ方向における受け台やカバー部材の肉厚を十分に確保することができなかった。そのため、ＬＥＤ基板からの発熱による保持板および導光体の熱変形による反りや浮き上がりが生じ易くなり、その点からも、導光体の支持高さおよび取付角度を高精度に安定確保することが容易でなかった。
【００１０】
本発明は、上述のような従来の問題を解決するためになされたものであり、保持板の変形やそのばらつきを抑え、主走査方向の照度分布に影響する導光体の出射面の高位置精度を安定確保することのできる画像読取装置、画像形成装置および画像送受信装置を提供することを目的とする。
【課題を解決するための手段】
【００１１】
本発明に係る画像読取装置は、上記目的達成のため、原稿面に対する主走査方向の全域に光を照射可能な光照射部と、前記原稿面で反射した光を光学系を介して前記主走査方向に延びる受光領域で受光し前記原稿面の画像を読み取る画像読取部とを備えるとともに、前記光照射部からの光により前記原稿面を光学走査する光学走査ユニットが構成される画像読取装置であって、前記光照射部は、複数の発光素子と、前記複数の発光素子を支持しつつ前記主走査方向に延びる発光素子基板と、前記主走査方向の全域で前記発光素子からの光を前記原稿面側に導くよう前記主走査方向に延びる導光体と、を含んで構成され、前記光学系は、前記原稿の画像面で反射した光を前記主走査方向における反射領域で前記画像読取部に向う所定の光路の方向に反射するミラーを含んで構成され、前記光学走査ユニットは、前記ミラーを収納するよう前記原稿面側に開く凹部を有するとともに前記所定の光路を形成する内部空間を有するハウジングと、前記凹部の少なくとも一部を閉塞する板状に形成され、前記導光体を保持するよう前記主走査方向に延びる保持板と、前記発光素子基板および前記導光体を覆うよう前記主走査方向に延びるとともに前記導光体を前記保持板側に付勢するカバーと、を含んで構成されており、前記ハウジングが、少なくとも前記凹部の内方であって前記主走査方向における前記光路の両外側に、前記凹部の内底面部から前記保持板に当接する高さにそれぞれ突出する複数の締結ボス部を有するとともに、前記主走査方向の両側で前記保持板に当接する受け面を形成する一対の端板部を有しており、前記保持板が前記一対の端板部および前記複数の締結ボス部に当接する状態で、前記保持板と該保持板上に重なる前記カバーとが、前記複数の締結ボス部にねじ結合する共通のねじにより前記複数の締結ボス部上に一体に締結されていることを特徴とするものである。
【００１２】
この構成により、本発明では、導光体を保持する保持板の上に、導光体を保持板側に付勢しつつ発光素子基板および導光体を覆うカバーが重ねて配置され、保持板をその主走査方向の両側でハウジングの両端側の一対の端板部と複数のミラーを収納する凹部内の複数のボス部とに当接させる状態で、保持板と発光素子基板およびカバーとがそれらに共通のねじにより複数の締結ボス部上に一体に締結されている。したがって、発光素子基板の発熱等に起因する保持板やカバーの反りや浮き上がりが、これらの間で、さらにハウジングとの間で、相互に抑制されることになる。よって、保持板の変形やそのばらつきが抑制され、導光体に対するカバーの押圧姿勢や両部材間の隙間が主走査方向でばらつくことが抑制されることとなり、主走査方向の照度分布に影響する導光体の出射面の高位置精度を安定確保することが可能となる。さらに、締結用のねじの本数を増やすことなく、発光素子基板、カバーおよび保持板の高さを規定できるので、省スペース化による光学走査ユニットのコンパクト化を図ることもできる。
【００１３】
本発明の画像読取装置においては、前記光学系が、前記原稿面で反射した光を前記光軸上に配置されたレンズにより縮小して前記画像読取部に導入する縮小光学系である構成とすることができる。
【００１４】
この場合、原稿面からの反射光の光路における主走査方向の幅が、レンズに光が近づくほど小さくなるので、レンズまでの光路上でその主走査方向におけるその光路幅が小さくなる個所の両外側に締結ボス部を配置でき、主走査方向を奥行き方向とする場合が多い画像読取装置の小型化が容易に図れることとなる。
【００１５】
本発明の画像読取装置においては、前記発光素子基板が、前記複数の発光素子を前記導光体側に対面させるよう、前記保持板に保持されており、前記保持板と該保持板上に重なる前記発光素子基板および前記カバーとが、前記共通のねじにより前記複数の締結ボス部上に一体に締結されている構成であってもよい。
【００１６】
この場合、発光素子基板の発熱等に起因するそれら保持板やカバーの反りや浮き上がりあるいは発光素子基板の反りや浮き上がりが、これらの間で相互に有効に抑制されることに加え、複数の発光素子を有する発光素子基板と導光体とが同一の保持板に支持されることで、発光素子から導光体への入射光のずれが少なくなり、原稿面での照度値に差が無い画像読取装置となる。
【００１７】
本発明の画像読取装置においては、前記一対の端板部が、前記凹部の開口側端面部に対して凸または凹形状をなし、前記保持板に対して該保持板を少なくとも前記原稿面に対する副走査方向に位置決め可能に凹凸係合する位置決め係合部を有しているとよい。
【００１８】
このようにすると、保持板による導光体の保持位置精度が副走査方向について十分に高められ、導光体の出射面の副走査方向における位置や傾きの精度が高まることで、原稿面上の照度分布のばらつきをより有効に抑えた画像読取装置となる。
【００１９】
本発明の画像読取装置は、前記カバーおよび前記導光体の間に、スポンジ状の弾性部材が圧縮状態で挿入されているものであってもよい。この場合、板ばねやコイルばねを用いる場合よりも弾性変形代を大きく設定でき、導光体を保持板に付勢する押圧力のばらつきを抑えることができるとともに、導光体の損傷を防止でき、装置の小型化にも有利である。
【００２０】
本発明に係る画像形成装置は、上記のいずれかの構成を有する画像読取装置を備えたものである。したがって、その導光体の保持板の変形やそのばらつきを有効に抑制し、主走査方向の照度分布に影響する導光体の出射面の高位置精度を安定確保することができ、主走査方向における照度分布のばらつきを抑えた画像読取りができる。よって、画像の濃度むらを抑えた良好な画像形成が可能となる。
【００２１】
本発明に係る画像送受信装置は、上記のいずれかの構成を有する画像読取装置を備えたものである。したがって、その導光体の保持板の変形やそのばらつきを有効に抑制し、主走査方向の照度分布に影響する導光体の出射面の高位置精度を安定確保することができ、主走査方向における照度分布のばらつきを抑えた画像読取りができるので、画像の濃度むらを抑えた良好な画像送信が可能となる。
【発明の効果】
【００２２】
本発明によれば、導光体を保持する保持板の変形やそのばらつきを有効に抑制し、主走査方向の照度分布に影響する導光体の出射面の高位置精度を安定確保することのできる画像読取装置、画像形成装置および画像送受信装置を提供することができる。
【図面の簡単な説明】
【００２３】
【図１】本発明の一実施の形態に係る画像読取装置を備えた画像形成装置の概略構成図である。
【図２】本発明の一実施の形態に係る画像読取装置の概略斜視図であり、その主要部である光学走査ユニットにハッチングを付けている。
【図３】本発明の一実施の形態に係る画像読取装置における一体型の光学走査ユニットを示すその要部平面図である。
【図４】図３のＭ−Ｍ断面図である。
【図５】本発明の一実施の形態に係る画像読取装置における一体型の光学走査ユニットのカバーを取り外した開蓋状態を示すその要部平面図である。
【図６】本発明の一実施の形態に係る画像読取装置における一体型の光学走査ユニットのハウジングの上面図である。
【図７】本発明の一実施の形態に係る画像読取装置の縮小光学系における読取り光の光路領域の説明図である。
【図８】本発明の一実施の形態に係る画像読取装置における押圧部材の配設位置の説明図である。
【図９】本発明の一実施の形態に係る画像読取装置における一体型の光学走査ユニットのカバーを取り外した開蓋状態を示すその要部斜視図である。
【図１０】本発明の一実施の形態に係る画像読取装置における保持板の要部斜視図である。
【図１１】本発明の一実施の形態に係る画像読取装置における一体型の光学走査ユニットのカバー、発光素子基板および導光体を取り外した状態を示すその要部斜視図である。
【図１２】本発明の他の実施の形態に係る画像読取装置における一体型の光学走査ユニットの開蓋状態を示すその平面図である。
【発明を実施するための形態】
【００２４】
以下、本発明の好ましい実施形態について、図面を参照しつつ説明する。
【００２５】
（一実施の形態）
図１ないし図１１は、本発明に係る画像読取装置およびそれを備えた画像形成装置の一実施の形態の概略構成を示している。
【００２６】
本実施の形態は、本発明の画像読取装置を画像形成装置であるカラー複写機や画像送受信装置であるファクシミリ装置、あるいは、複写機能とファクシミリ機能を併有する複合機等のいずれか、例えばカラー複写機に適用した例を示している。なお、画像読取装置は、イメージスキャナに適用してもよい。また、本発明にいう画像形成装置は、電子写真方式やインクジェット記録方式等といった任意の方式の画像形成が適用可能なものであり、本発明にいう画像送受信装置は、ファクシミリ通信に限らず、読取り画像データを送受信する任意の画像送受信方式に適用可能なものである。
【００２７】
まず、その構成について説明する。
【００２８】
本実施形態のカラー複写機１は、給紙部２、画像形成部３およびスキャナ部４を有する装置本体１Ｍと、その装置本体１Ｍの上方に配置された自動原稿搬送部５とを備えている。スキャナ部４は、装置本体１Ｍの最上部に一体的に設けられている。
【００２９】
図２に示すように、スキャナ部４は、装置本体１Ｍの最上部に原稿Ｄの画像面Ｄａ（以下、原稿面Ｄａという）がセットされる上面４１ａを有するコンタクトガラス４１と、そのコンタクトガラス４１に沿って、原稿面Ｄａに対する主走査方向（同図中の矢印Ａ方向）の全域に光を照射しつつ副走査方向（矢印Ｂ方向）に往復移動する光学走査ユニット４２と、光学走査ユニット４２を副走査方向に往復移動可能に案内するガイドロッド４３（図１１参照）とを有している。
【００３０】
光学走査ユニット４２は、少なくとも、主走査方向の全域に光照射可能であり、原稿面で反射した光を所定の光路の方向に向けて折返し反射するミラー等の光学系を、副走査方向に凹移動するキャリッジにより保持したものである。この光学走査ユニット４２は、スキャナ部４に備えられる図示しない駆動手段により副走査方向（図１、図２の矢印Ｂ方向）に往復搬送されることで、コンタクトガラス４１上に戴置された原稿Ｄの２次元カラー画像を露光走査できるようになっている。なお、駆動手段は、光学走査ユニット４２に固定されたワイヤと、ワイヤが巻き掛けられた複数の従動プーリおよび駆動プーリと、駆動プーリを回転させるモータ等によって構成される公知のものである。
【００３１】
詳細は後述するが、本実施形態の光学走査ユニット４２は、いわゆる一体型光学走査ユニットとなっており、光源、レンズ、ＣＣＤ（電荷結合素子）及びミラーを保持した構成となっている。光学走査ユニット４２は、あるいは、光源と、主走査方向を長手方向とする密着イメージセンサとを一体に保持するものであってもよい。
【００３２】
自動原稿搬送部５は、装置本体１Ｍの背面側で図示しないヒンジ機構により装置本体１Ｍにヒンジ結合されており、コンタクトガラス４１上を原稿セット可能に開放したり、コンタクトガラス４１上の原稿シートを図示しない厚板を介してコンタクトガラス４１上に圧接可能な閉止状態（図１参照）にしたりすることができる。
【００３３】
この自動原稿搬送部５は、原稿載置トレイ１１上にセットされた原稿を自動的にコンタクトガラス４１上の読取位置へ搬送するＡＤＦモードと、原稿を手動でコンタクトガラス４１上の読取位置に載置し、前記閉止状態とする圧板モードとに切り替え可能である。
【００３４】
また、自動原稿搬送部５は、原稿載置トレイ１１からコンタクトガラス４１上に原稿Ｄを１枚ずつ分離して搬送する分離給紙部１３と、分離された原稿Ｄをコンタクトガラス４１上の読取位置に搬送および位置決めし、更に排紙方向に搬送する搬送ベルト１４と、読取位置での画像読取が終了した原稿を片面排紙トレイ１５上に直線的に搬送して排紙し、あるいは、両面排紙トレイ１６上に反転して排紙する排紙機構部１９とを有している。
【００３５】
カラー複写機１は、スキャナ部４での原稿画像の読取り動作に応じて、装置本体１Ｍ内の給紙部２および画像形成部３を作動させて、給紙部２から給紙される転写紙Ｐに原稿面Ｄａの画像を複写する画像形成動作を実行する。
【００３６】
給紙部２は、例えば用紙サイズの異なるカットシート状の転写紙Ｐを複数段の給紙カセット２１Ａ、２１Ｂ、２１Ｃのうち任意の１つから給紙可能である。
【００３７】
画像形成部３の画像形成方式は特に限定されるものではないが、画像形成部３は、例えば露光装置３１と、複数の感光体ドラム３２と、シアン（Ｃ）、マゼンタ（Ｍ）、イエロー（Ｙ）およびブラック（Ｋ）のトナーが充填された複数の現像装置３３と、一次転写部３４と、二次転写部３５と、定着部３６とを備えている。
【００３８】
露光装置３１は、例えば、スキャナ部４で読み取った画像に基づいて各色の露光用のレーザ光Ｌを生成し、各色の感光体ドラム３２を露光することで、各感光体ドラム３２の表層部に読取画像に対応する各色の静電潜像を形成することができる。また、複数の現像装置３３は、それぞれ対応する感光体ドラム３２に薄層状のトナーを近接させるように供給して、静電潜像をトナーにより顕像化する現像を行うことができる。
【００３９】
この画像形成部３においては、複数の感光体ドラム３２上で現像されたトナー像を一次転写部３４に一次転写し、一次転写部３４に近接する二次転写部３５でそのトナー像を転写紙Ｐに二次転写する。そして、画像形成部３は、転写紙Ｐに二次転写したトナー像を定着部３６により加熱・加圧して溶融させ、転写紙Ｐにカラー画像を定着させて記録する。
【００４０】
すなわち、画像形成部３は、スキャナ部４によって読み取られて色別分解された画情報に基づいて、複数の感光体ドラム３２に色分けして画像を形成し、給紙部２から供給された転写紙Ｐに感光体ドラム３２上のトナーを重ね合わせて転写した後、転写紙Ｐに転写されたトナー画像のトナーを、定着部３６により溶融して、転写紙Ｐにカラー画像を定着するようになっている。
【００４１】
このような画像形成のプロセス自体は周知であるので、これ以上詳述しないが、カラー複写機１は、読み取った画像を図示しない相手先の画像送受信装置に送信したり、逆に受信したりする画像送受信装置の機能を併有している。
【００４２】
図３ないし図５および図７に示すように、スキャナ部４の光学走査ユニット４２は、コンタクトガラス４１の上面４１ａにセットされた原稿面Ｄａに対する主走査方向の全域に光を照射可能な光照射部４５と、原稿面Ｄａで反射した光（画像読取光）を画像読取部４７に導入する光学系４６と、原稿面Ｄａで反射した光を光学系４６を介して主走査方向に延びる受光領域Ｚｂ（図７参照）で受光し、原稿面Ｄａに対応する縮小画像Ｄｂを読み取る画像読取部４７とを備えている。
【００４３】
前述のように、本実施形態におけるスキャナ部４の光学走査ユニット４２は、光照射部４５からの光により原稿面Ｄａを光学走査するための構成に加えて、画像読取部４７の主要部を一体化した一体型光学走査ユニットとして構成されている。
【００４４】
具体的には、光照射部４５は、光源となる複数の発光素子、例えば複数のＬＥＤ５１と、複数のＬＥＤ５１を同一板面上の同一直線上に支持しつつ主走査方向に延びる発光素子基板５２と、主走査方向の全域で複数のＬＥＤ５１からの光を原稿面Ｄａ側およびリフレクタ５９側に導くよう主走査方向に延びる導光体５３と、を含んで構成されている。なお、リフレクタ５９は、原稿の凹凸による影等を無くすための反射板である。
【００４５】
導光体５３は、複数のＬＥＤ５１からの光を入射するよう主走査方向に延びる単一の帯状平面に形成された入射面５３ａと、その入射面５３ａから入射した光を被照射体である原稿Ｄの光照射領域へ向けて出射する出射面５３ｂとを有している。
【００４６】
また、光学系４６は、原稿面Ｄａで反射した光を光路Ｇｐ上のそれぞれの反射位置で、図４に示すように画像読取部４７に向う所定の光路Ｇｐの方向に折返し反射するミラー６１、６２、６３、６４、６５と、所定の光路Ｇｐ上に配置されてミラー６５からの光を集光して画像読取部４７の受光領域Ｚｂに結像させるレンズ６６と、を含んで構成されている。
【００４７】
この光学系４６は、原稿面Ｄａで反射した読取り光をレンズ６６により縮小して画像読取部４７に導入する縮小光学系である。したがって、原稿面Ｄａで反射した光のうち画像読取部４７での読取りに寄与する読取り光線の光路領域Ｇｗは、図７に示すように、原稿面Ｄａからレンズ６６に近付くほど主走査方向に狭くなり、ミラー６１、６２、６３、６４、６５のうち読取り光線を反射する反射領域Ｒ１、Ｒ２、Ｒ３、Ｒ４、Ｒ５もレンズ６６に近いほど狭くなっている。
【００４８】
画像読取部４７は、レンズ６６で集光した光を受光し光電変換する素子（光電変換素子）、例えばＣＣＤ（Ｃｈａｒｇｅ  Ｃｏｕｐｌｅｄ  Ｄｅｖｉｃｅ；電荷結合素子）７１と、ＣＣＤを配置した読取基板７２とで構成されている。本実施形態では、ＣＣＤ７１および読取基板７２が光学走査ユニット４２に一体に設けられているが、図示せぬ走査読取ユニットに設けられてもよい。また、光学走査ユニットは、画像読取部４７を除く光学走査ユニット４２の露光走査系と主走査方向を長手方向とする密着イメージセンサとを一体に保持したものでもよい。
【００４９】
光学走査ユニット４２は、さらに、ミラー６１〜６５を収納するよう原稿面Ｄａ側に開く凹部８１を有するとともに所定の光路Ｇｐを形成する内部空間８２を有するハウジング４８と、凹部８１の少なくとも一部を閉塞する板状に形成され、導光体５３を一体的に位置決め保持するよう主走査方向に延びる保持板５４と、発光素子基板５２および導光体５３を覆うよう主走査方向に延びるとともに導光体５３を保持板５４側に付勢するようハウジング４８または保持板５４に固定されたカバー５５と、を含んで構成されている。なお、図４中では、導光体５３は保持板５４側に突出する位置決めおよび保持用の突起または突条５３ｐを有しているが、一体に保持する態様は任意である。
【００５０】
ハウジング４８は、少なくとも凹部８１の内方であって主走査方向の両側に、図３、図６および図７に示すように、それぞれ凹部８１の内底面部８１ｂから保持板５４に当接する高さｈに突出する複数の締結ボス部８３を有するとともに、主走査方向の両側で保持板５４に当接するそれぞれの受け面８４を形成する一対の端板部８５と、複数の締結ボス部８３より照射光の原稿反射位置Ｇｐ０側に位置する短手方向の一方側で保持板５４に当接する受け面８６を形成する側板部８７とを有している。
【００５１】
そして、保持板５４が一対の端板部８５および複数の締結ボス部８３に当接する状態で、保持板５４とその保持板５４上に重なるカバー５５とが、複数の締結ボス部８３にねじ結合する共通のねじ８８（頭部付のもの）により複数の締結ボス部８３上に一体に締結されている。
【００５２】
より具体的には、発光素子基板５２は、複数のＬＥＤ５１をそれらの光照射方向で導光体５３の入射面５３ａに対面させるよう、保持板５４に保持されており、保持板５４とその保持板５４上に重なる発光素子基板５２およびカバー５５とが、共通のねじ８８により複数の締結ボス部８３上に一体に締結されている。
【００５３】
また、ハウジング４８は、凹部８１の内方であって主走査方向における光路Ｇｐの両外側に、それぞれ凹部８１の内底面部８１ｂから保持板５４に当接する高さｈに突出する複数の締結ボス部８３を有している。
【００５４】
さらに、一対の端板部８５には、凹部８１の開口側の端面部である受け面８４から突出することで、保持板５４を少なくとも原稿面Ｄａに対する副走査方向に位置決め可能な略円柱状の位置決め凸部８５ｐ（位置決め係合部）を有している。
【００５５】
保持板５４は、一対の端板部８５に対してこれらの内面側および上面側からの当接可能な略Ｚ形状に段曲げ加工された複数の両端側受け部５４ｂ、５４ｃを有しており、これらのうち副走査方向で片側の一対の両端側受け部５４ｂには、一対の位置決め凸部８５ｐに対応する内幅で保持板５４の両端側に開く略Ｕ字形の一対の切欠き５４ｖが形成されている。これら一対の切欠き５４ｖは、照射光の原稿反射位置Ｇｐ０に対し複数の締結ボス部８３側である保持板５４の短手方向の片側に形成されている。なお、保持板５４の両端側に板厚方向の凸部を設け、一対の端板部８５側に保持板５４の凸部に対応する長穴状またはスリット状の位置決め凹部を設けてもよい。
【００５６】
副走査方向でもう片側の一対の両端側受け部５４ｃは、導光板５３の両端側であって副走査方向における照射光の原稿反射位置Ｇｐ０の近傍で、一対の端板部８５に形成された受け面８４に当接するようになっている。
【００５７】
図９ないし図１１に示すように、照射光の原稿反射位置Ｇｐ０側である保持板５４の短手方向の一方側である副走査方向の他端側には、少なくとも側板部８７の長手方向中央側で受け面８６に当接して側板部８７に支持される上側受け部５４ｅと、側板部８７の長手方向両端側に形成されたスリット状の孔部８７ａ（図９、図１１参照）に挿入される一対の下側受け部５４ｆとが設けられている。
【００５８】
保持板５４は、その短手方向の一方側で、上側受け部５４ｅおよび一対の下側受け部５４ｆにより側板部８７の一部を上下方向に挟持するよう、側板部８７に対して上下方向に一体に嵌合することができるようになっている。
【００５９】
保持板５４の複数の両端側受け部５４ｂ、５４ｃが一対の端板部８５の内面側およびそれぞれの受け面８４に当接するとき、保持板５４は、予め上側受け部５４ｅおよび一対の下側受け部５４ｆを側板部８７に嵌合させた後、一対の位置決め凸部８５ｐを一対の切欠き５４ｖに嵌合させることで、ハウジング４８に対して平行にかつ短手方向の所定位置に位置決めされる。また、そのように位置決めされた保持板５４が、副走査方向の一端で複数の締結ボス部８３上に締結されるとき、一対の両端側受け部５４ｂ、５４ｃを一対の端板部８５の受け面８４に所定の接触圧で圧接させるようになっている。これにより、保持板５４は、ハウジング４８に対して一定姿勢に固定されるとともに、導光体５３をハウジング４８に対して所定位置に所定姿勢で保持することができるようになっている。
【００６０】
導光体５３とカバー５５との間には、スポンジ状の弾性部材５６（押圧部材）が圧縮状態で挿入されており、図８に示すように、これら弾性部材５６は、導光体５３およびカバー５５の長手方向の中央位置とそこから長手方向両側に等間隔に隔たるとともに導光体５３の比押圧長さ領域を等分する等分位置とに配置されている。
【００６１】
これら複数の弾性部材５６（押圧部材）は、発光素子基板５２および導光体５３を覆うよう主走査方向に延びるカバー５５と協働して、導光体５３をカバー５５よりも十分に低硬度および低弾性係数で保持板５４側に付勢するように押圧する薄い板状の部材となっている。
【００６２】
発光素子基板５２、カバー５５および保持板５４には、複数の締結ボス部８３に対応する位置に、それぞれ略同一形状のねじ挿通穴５２ａ、５４ａ、５５ａが形成されており、各締結ボス部８３上でそれに対応する複数のねじ挿通穴５２ａ、５４ａ、５５ａが一直線上に位置決めされた状態で、それらを共通のねじ８８が貫通するとともに、締結ボス部８３に埋設されたインサートナット８３ａに共通のねじ８８がねじ結合している。インサートナット８３ａは、内周側に共通のねじ８８にねじ結合する雌ねじが形成される一方、外周側に例えばローレット等による抜け止め形状を有している。
【００６３】
ハウジング４８は、所定の合成樹脂、例えばＰＣ（ポリカーボネイト）によって、複数のミラー６１〜６５の取付部、凹部８１、内部空間８２、位置決め凸部８５ｐ、受け面８４、８６等を有する所定形状になるように、射出成形等の成形手法で成形された成形部品であり、光学走査ユニット４２におけるキャリッジとして機能する。ハウジング４８の内部空間８２は、光路Ｇｐの原稿面Ｄａ側で凹部８１に連通するとともに、画像読取部４７側では、レンズ６６を収納しつつ画像読取部４７側に開く読取側凹部を形成している。
【００６４】
ハウジング４８と同様に、カバー５５も、所定の合成樹脂、例えばＰＣ（ポリカーボネイト）によって、射出成形等の成形手法で所定形状に成形されている。一方、保持板５４は、プレス加工された板金製の部品である。
【００６５】
なお、発光素子基板５２は図示せぬ別のねじにて、導光体５３を保持する保持板５４に予め保持されていてもよい。
【００６６】
次に、作用について説明する。
【００６７】
上述のように構成された本実施の形態のカラー複写機においては、保持板５４をその主走査方向の両側でハウジング４８の両端側の一対の端板部８５と凹部８１内の複数の締結ボス部８３とに当接させる状態で、その保持板５４とその上に重ねられた発光素子基板５２およびカバー５５とが、それらに共通のねじ８８により複数の締結ボス部８３上に一体に締結されているので、保持板５４からの荷重を、複数の締結ボス部８３や一対の端板部８５によって受けることができ、更にはカバー５５によっても受けることができる。
【００６８】
したがって、装置サイズ上の制約からその高さ方向における保持板５４やカバー５５の厚さを十分に確保できない場合であっても、発光素子基板５２の発熱等に起因するそれら保持板５４やカバー５５の反りや浮き上がり、あるいは発光素子基板５２の反りや浮き上がりが、これらの間で、さらにハウジング４８との間で、相互に抑制されることになる。よって、保持板５４の変形やそのばらつきが抑制され、導光体５３に対するカバー５５の押圧姿勢や両部材間の隙間が主走査方向でばらつくことが抑制されることとなる。その結果、主走査方向の照度分布に影響する導光体５３の出射面５３ｂの位置精度を高精度にかつ安定的に確保することができる。
【００６９】
しかも、本実施形態では、締結用のねじ８８の本数を増やすことなく、発光素子基板５２、カバー５５および保持板５４の高さを精度良く規定できるので、省スペース化による光学走査ユニット４２のコンパクト化を図ることができる。すなわち、締結用のねじの本数を増やすと部品コストや組立工数のみならず、ハウジング４８となる構造体（樹脂成形品）におけるねじ締結部の設置数を増やさなければならず、スペース的に不利になるところ、本実施形態では、そのような問題が解消されることとなる。
【００７０】
また、本実施形態では、光照射部４５の締結ボス部８３による締結位置を主走査方向における読取光線の光路Ｇｐの外側の領域Ｚ１、Ｚ２の範囲に設定しているので、主走査方向を奥行き方向とする場合が多い画像読取装置の小型化が容易に図れることとなる。
【００７１】
付言すれば、本実施形態では、光学系４６が原稿面Ｄａで反射した光をレンズ６６により縮小して画像読取部４７に導入する縮小光学系であるので、光学走査ユニット４２内で進行する読取り光のうち画像読取部４７に導入されて使用される読取光線の光路Ｇｐの主走査方向における領域Ｇｗは、複数のミラー６１〜６５での折り返しを平面に展開すると、図７に示すように、レンズ６６を用いた原稿面ＤａからＣＣＤ７１の受光領域Ｚｂまでの読取光線の光路領域Ｇｗのように示される。この場合、使用する読取光線の光路領域Ｇｗは、レンズ６６に光が近づくにつれて、その主走査方向の幅が小さくなるので、光照射部４５の締結ボス部８３による締結位置を主走査方向における読取光線の光路領域Ｇｗの外側の領域Ｚ１、Ｚ２の範囲に設定しても必要な読取光線を遮ることがない。
【００７２】
本実施形態では、さらに、発光素子基板５２が、複数のＬＥＤ５１を導光体５３側に対面させるように保持板５４に重ねて保持されており、保持板５４とその上に重なる発光素子基板５２およびカバー５５とが共通のねじ８８により複数の締結ボス部上に一体に締結されている。しがって、発光素子基板５２の発熱等に起因するそれら保持板５４やカバー５５の反りや浮き上がりあるいは発光素子基板５２の反りや浮き上がりが、これらの間で相互に有効に抑制されることに加え、複数のＬＥＤ５１を有する発光素子基板５２と導光体５３とが同一の保持板５４に支持されることで、複数のＬＥＤ５１から導光体５３への入射光のずれが少なくなり、原稿面Ｄａでの照度値に差が無い画像読取が可能となる。
【００７３】
加えて、本実施形態では、一対の端板部８５が、凹部８１の開口側の端面部である受け面８４から突出し、保持板５４に対してその保持板５４を少なくとも原稿面Ｄａに対する副走査方向に位置決め可能な略円柱状の位置決め凸部８５ｐを有している。したがって、保持板５４による導光体５３の保持位置精度が副走査方向について十分に高められ、導光体５３の出射面５３ｂの副走査方向における位置や傾きの精度が高まることで、原稿面Ｄａ上の照度分布のばらつきをより有効に抑えた画像読取が可能となる。
【００７４】
また、本実施形態では、カバー５５および導光体５３の間に、スポンジ状の複数の弾性部材５６が圧縮状態で挿入されているので、マイラー等からなる板ばねやコイルばねを用いる場合よりも弾性変形代を大きく設定でき、導光体５３を保持板５４に付勢する押圧力のばらつきを抑えることができるとともに、導光体５３の損傷を防止できる。しかも、複数の弾性部材５６が十分に薄くなるまで圧縮され得るので、装置の小型化にも有利である。
【００７５】
このように、本実施形態においては、導光体５３を保持する保持板５４の変形やそのばらつきを有効に抑制し、主走査方向の照度分布に影響する導光体５３の出射面５３ｂの高位置精度を安定確保することのできるスキャナ部４を備え、複写機等の画像形成装置の機能およびファクシミリ装置等の画像送受信装置の機能を有するカラー複写機１を提供することができる。
【００７６】
このような本実施形態においては、主走査方向における照度分布のばらつきを抑えた画像読取りを行うことで、画像の濃度むらを抑えた良好な画像形成が可能となり、あるいは、画像の濃度むらを抑えた良好な画像送信が可能となる。
【００７７】
（他の実施の形態）
図１２は、本発明の他の実施の形態に係る画像読取装置における光学走査ユニットを、そのカバーを取り外した開蓋状体で示す平面図である。
【００７８】
なお、本実施形態は、上述の一実施の形態と略同一の構成を有するものであるので、一実施の形態と同一または類似の構成要素については、図１ないし図１１に示した対応する構成要素の符号を用いて、以下、一実施の形態との相違点について説明する。
【００７９】
本実施形態においては、図４に示したミラー６２と複数の締結ボス部８３の配設位置が一実施の形態とは副走査方向において逆になっている。すなわち、ミラー６２が複数の締結ボス部８３より照射光の原稿反射位置Ｇｐ０側に配置されており、ミラー６４が複数の締結ボス部８３より照射光の原稿反射位置Ｇｐ０から離れる側に配置され、複数の締結ボス部８３が、光の進行方向では、図７の場合より間隔が広がったミラー６３、６４の反射位置Ｒ３、Ｒ４の間であって、光路Ｇｐの主走査方向における光路領域Ｇｗの外側に配置されている。
【００８０】
よって、図１２中の２つの締結ボス部８３の間隔は、図６に示した一実施の形態の場合より狭くなり、相対的に、主走査方向の中央側に位置している。
【００８１】
本実施形態においても、上述の一実施の形態と同様な効果が得られる。
【００８２】
なお、上述の各実施の形態では、光学走査ユニット４２の光学系４６は主走査方向の全域をカバーする単一の光学系としたが、縮小光学系が主走査方向に隣り合うように並列配置されるような場合には、締結ボス部が、主走査方向の中央側にも配置され得る。
【００８３】
また、上述の各実施の形態では、光学走査ユニット４２の光学系４６は縮小光学系としたが、縮小光学系に限定されるものではなく、主走査方向の装置サイズが縮小光学系の場合より大きくなるが、例えば正立等倍光学系であってもよい。その場合も、使用される読取り光の光路領域の外側に締結ボス部を設置し、その外側に一対の端板部を設けることができる。
【産業上の利用可能性】
【００８４】
以上説明したように、本発明は、導光体を保持する保持板の変形やそのばらつきを有効に抑制し、主走査方向の照度分布に影響する導光体の出射面の高位置精度を安定確保できる画像読取装置、画像形成装置および画像送受信装置を提供することができるものである。かかる本発明は、光学走査ユニットを有する画像読取装置とこれを備えた画像形成装置および画像送受信装置全般に有用である。
【符号の説明】
【００８５】
１  カラー複写機（画像形成装置、画像送受信装置）
１Ｍ  装置本体
４  スキャナ部（画像読取装置）
５  自動原稿搬送部
４１  コンタクトガラス
４２  光学走査ユニット
４５  光照射部
４６  光学系（縮小光学系）
４７  画像読取部
４８  ハウジング（キャリッジ、成形部品）
５１  ＬＥＤ（発光素子）
５２  発光素子基板
５２ａ、５４ａ、５５ａ  挿通穴
５３  導光体
５４  保持板
５４ｂ、５４ｃ  両端側受け部
５４ｅ  上側受け部
５４ｆ  下側受け部
５４ｖ  切欠き
５５  カバー
５６  弾性部材（押圧部材）
６１、６２、６３、６４、６５  ミラー
６６  レンズ（縮小レンズ、結像レンズ）
７１  ＣＣＤ（光電変化素子、電荷結合素子）
８１  凹部
８１ｂ  内底面部
８２  内部空間
８３  締結ボス部
８４、８６  受け面（開口側端面部）
８５  一対の端板部
８５ｐ  凸部（位置決め係合部）
８７  側板部
Ｄ  原稿
Ｄａ  原稿面（原稿画像の載置面）
Ｇｐ  光路
Ｇｗ  光路領域（使用する読取光の主走査方向における光路領域）
ｈ  高さ（突出高さ）
Ｒ１、Ｒ２、Ｒ３、Ｒ４、Ｒ５  反射領域
Ｚ１、Ｚ２  外側の領域
【先行技術文献】
【特許文献】
【００８６】
【特許文献１】特開２０１５−１６７４０９号公報
【図１】
0006680099.tif 000002
【図２】
0006680099.tif 000003
【図３】
0006680099.tif 000004
【図４】
0006680099.tif 000005
【図５】
0006680099.tif 000006
【図６】
0006680099.tif 000007
【図７】
0006680099.tif 000008
【図８】
0006680099.tif 000009
【図９】
0006680099.tif 000010
【図１０】
0006680099.tif 000011
【図１１】
0006680099.tif 000012
【図１２】
0006680099.tif 000013